(57)【要約】【課題】各種施設や店舗や寮等の多数の人の出入りがある指定エリアにおいて、予め指定した人又は指定した組み合わせた人達が、リアルタイムで、その指定エリアに滞在中か不在かを、表示又は情報連絡するコンピュータシステムは無かった。【解決手段】指定エリア情報と指定ユーザーの持つ情報端末を特定する情報を予め登録し、指定時間内について、ＧＰＳ等の情報に基づいた指定ユーザーの情報端末の現在位置情報を利用して、指定ユーザー又は指定した組み合わせた指定ユーザーの人達が指定エリアに滞在中か不在かを判断し、表示する又は指定した送信先の電子メール又はＳＮＳ等のアドレスに送信するシステム。【選択図】図１
2016110595.tif 000002
【特許請求の範囲】
【請求項１】
指定エリアの位置情報と指定ユーザーの所有情報端末の特定情報とを紐付けて記憶する記憶手段と、前記指定ユーザーの所有情報端末の現在位置を検知する位置検知手段と、検知した前記指定ユーザーの所有情報端末の現在位置が前記指定エリアの位置情報の範囲内であるか否かを判定する到着判定手段と、前記指定ユーザーが前記指定エリアに到着した又は現在滞在中であることを示す到着又は滞在中情報を作成及び表示する滞在中情報表示手段と、情報入力手段と、情報送信手段とを具備し、前記位置検知手段が検知した前記指定ユーザーの所有情報端末の現在位置と前記記憶手段内に記憶されている前記指定エリアの位置情報を照合して、前記到着判定手段が前記指定ユーザーが前記指定エリア内に到着又は滞在中と判断した場合には、前記滞在中情報表示手段が、前記指定ユーザーに係る前記到着又は滞在中情報を作成及び表示することを特徴とする、指定エリア内の指定ユーザー滞在中情報の表示又は連絡システム
【請求項２】
前記滞在中情報表示手段が、前記到着又は滞在中情報を作成した場合には、作成された前記到着又は滞在中情報を、前記記憶手段に前記指定ユーザーの前記到着又は滞在中情報の送信先として記憶されている電子メール又はＳＮＳ等のアドレス宛に送信することを特徴とする、前記請求項１に記載の指定エリア内の指定ユーザー滞在中情報の表示又は連絡システム
【請求項３】
前記位置検知手段が前記指定ユーザーの所有情報端末の現在位置を検知する時間、前記到着判定手段が前記指定ユーザーの所有情報端末の現在位置が前記指定エリアの位置情報の範囲内であるか否かを判定する時間、前記滞在中情報表示手段が前記到着又は滞在中情報を作成及び表示する時間、又は、前記情報送信手段が前記到着又は滞在中情報を送信する時間を、指定することが出来ることを特徴とする、前記請求項１又は請求項２に記載の指定エリア内の指定ユーザー滞在中情報の表示又は連絡システム
【発明の詳細な説明】
【発明の詳細な説明】
【技術分野】
【０００１】本発明は、各種の情報端末を持った個人ユーザーが指定した又は指定されたエリアに到着した又は滞在中であることを自動検知して、到着又は滞在中である情報を作成する技術に関し、さらに、作成した到着又は滞在中情報の表示と、予め登録された電子メール又はＳＮＳ等のアドレス宛に前記到着又は滞在中情報の送信を行う技術に関する。
【背景技術】
【０００２】スマートフォン等の各種の情報端末に、その情報端末の現在位置情報を検知するＧＰＳ（Ｇｌｏｂａｌ  Ｐｏｓｉｔｉｏｎｉｎｇ  Ｓｙｓｔｅｍ）機能が付加されたことで、各種の事業者は、それらの情報端末を保持しているユーザーに対し、そのユーザの位置情報や自社店舗の位置情報を活用したに販促活動の参考情報の収集等を行っている。具体的には、特許文献１の発明では、各顧客の携帯端末の位置をＧＰＳ等から求めた顧客の位置情報と、キャンペーン実施店舗及び競合店舗の位置情報とを比較することで、その顧客がキャンペーン実施店舗や競合店舗に来店したかどうかを判定する。そして、顧客が実施店舗に来店した回数と競合店舗に来店した回数とに基づき、その顧客の、実施店舗に対するローヤルティ（忠実度）に関するタイプ分けを行う事が出来る。【０００３】
【特許文献１】特開２０１３−２４６７４７
【発明の概要】
【発明が解決しようとする課題】
【課題を解決するための手段】
【０００４】本発明は、指定エリアの位置情報と指定ユーザーの所有情報端末の特定情報とを紐付けて記憶する記憶手段と、前記指定ユーザーの所有情報端末の現在位置を検知する位置検知手段と、検知した前記指定ユーザーの所有情報端末の現在位置が前記指定エリアの位置情報の範囲内であるか否かを判定する到着判定手段と、前記指定ユーザーが前記指定エリアに到着した又は現在滞在中であることを示す到着又は滞在中情報を作成及び表示する滞在中情報表示手段と、情報入力手段と、情報送信手段とを具備し、前記位置検知手段が検知した前記指定ユーザーの所有情報端末の現在位置と前記記憶手段内に記憶されている前記指定エリアの位置情報を照合して、前記到着判定手段が前記指定ユーザーが前記指定エリア内に到着又は滞在中と判断した場合には、前記滞在中情報表示手段が、前記指定ユーザーに係る前記到着又は滞在中情報を作成及び表示することを特徴とする、指定エリア内の指定ユーザー滞在中情報の表示又は連絡システムである。【０００５】本発明によって、指定したエリア（以下、例えば、「各種の施設や店舗や事務所や寮等の２人以上の人が集まる場所」をいう）に、予め指定して登録済みの人（情報端末を持つことが条件である）が到着した又は滞在中である場合には、到着又は滞在中であることを示す又は表す情報を、インターネット等のネットワーク経由で表示する又は閲覧する事が出来る。及び、指定した位置に、予め指定又は登録済みの人が居ないことの表示も出来るようになる。【０００６】本発明は、前記滞在中情報表示手段が、前記到着又は滞在中情報を作成した場合には、作成された前記到着又は滞在中情報を、前記記憶手段に前記指定ユーザーの前記到着又は滞在中情報の送信先として記憶されている電子メール又はＳＮＳ等のアドレス宛に送信することを特徴とする、前記請求項１に記載の指定エリア内の指定ユーザー滞在中情報の表示又は連絡システムである。【０００７】本発明によって、指定したエリアの位置に、予め指定して登録済みの人が到着した又は滞在中である場合には、その到着又は滞在中であることを認識し、その人の到着情報又は滞在中情報を、インターネット等のネットワーク経由で、予め送信先として登録しておいた電子メール又はＳＮＳ等のアドレス宛に送信することが出来るようになる。【０００８】本発明は、前記位置検知手段が前記指定ユーザーの所有情報端末の現在位置を検知する時間、前記到着判定手段が前記指定ユーザーの所有情報端末の現在位置が前記指定エリアの位置情報の範囲内であるか否かを判定する時間、前記滞在中情報表示手段が前記到着又は滞在中情報を作成及び表示する時間、又は、前記情報送信手段が前記到着又は滞在中情報を送信する時間を、指定することが出来ることを特徴とする、前記請求項１又は請求項２に記載の指定エリア内の指定ユーザ滞在中情報の表示又は連絡システムである。【０００９】本発明によって、指定する時間（例えば、２０１５年１月１日１０時０１分〜２０１５年１月１日１１時５９分のように）に限り、指定したエリア内に、予め指定して登録済みの人が到着した又は滞在中であると判断した場合には、その到着情報、滞在中情報、又は居ない情報を作成し、インターネット等のネットワーク経由で表示又は登録した電子メールやＳＮＳ等のアドレス宛に送信することが出来るようになる。
【発明の効果】
【００１０】本発明により、各種施設や事務所や店舗や寮等の多くの人が集まる指定エリア又は場所において、個人が持っている各種の情報端末を活用して、その指定場所に、今、誰が居るかがをリアルタイムで知ることが出来るようになる。【００１１】及び、予め連絡先として電子メール又はＳＮＳ等のアドレスを登録又は設定をしておくことで、指定エリアに指定した人が到着した事実又は滞在中である事実に係る情報を受け取る事が出来るようになる。また、その到着した事実又は滞在中の事実に係る情報の送信又は受信を、設定又は登録した時間内にのみ閲覧又は受け取ることが出来るようになる。具体的には、店舗の運営者が、常連客を本発明のシステムに登録させることで、知り合いの常連客が店舗に来た情報又は現在来ている情報を、リアルタイムで他の常連客に知らせる及び認識させる事が出来るようになる。これにより、各種施設や店舗側が本発明のシステムを活用することで、「この施設又は店に、特定の人が居る時には行きたいという顧客の来店心理の１つ」を利用した、自分の施設や店舗等への来店促進を行うことが出来ることになるのである。【００１２】
【図面の簡単な説明】
【００１３】
【図１】指定エリア内の指定ユーザー滞在中情報の表示又は連絡システムのブロック図
【図２】指定エリア内の指定ユーザー滞在中情報の表示又は連絡システムの位置関係図
【図３】指定エリア内の指定ユーザー滞在中情報の表示の例図
【発明を実施するための形態】
【実施例１】
【００１４】
【発明を実施するための形態】
【００１５】本発明の実施形態について、本発明のコンピュータシステムを提供された又は利用許諾を受けた個人の指定ユーザーが、インターネット等のネットワークを介して本発明のコンピュータシステムに通信可能に接続された形態でサービスを利用する場合の１例について、適宜図面を参照しながら詳細に説明する。
【００１６】図１は、前記指定エリア情報（以下、指定エリアに係る「位置情報又は範囲情報」をいう）内の指定ユーザー滞在中情報の表示又は連絡システム（１）の１つの実施形態に係るブロック図である。  図１に示す前記指定エリア内の指定ユーザー滞在中情報の表示又は連絡システム（１）は、インターネット等のネットワークに接続可能なサーバ又は個人所有の情報端末にて情報処理を実行するコンピュータシステム又はプログラムの構成図である。
【００１７】前記指定エリア内の指定ユーザー滞在中情報の表示又は連絡システム（１）は、記憶手段（２）、位置検知手段（５）、到着判定手段（６）、滞在中情報表示手段（７）、情報入力手段（８）と、情報送信手段（９）を備えており、これらは前記指定エリア内の指定ユーザー滞在中情報の表示又は連絡システム（１）に配設されたそれぞれのコンピュータプログラムを実行することにより機能する。前記記憶手段（２）には、指定エリアの位置情報（３）と指定ユーザーの情報端末情報（以下、「個別の情報端末又は前記指定ユーザーの特定が出来る各種情報」をいう）（４）が記憶されている。尚、前記指定エリアの位置情報（３）と前記指定ユーザーの情報端末情報（４）は、どちらとも１つに限らず２つ以上の情報が記憶可能とする。
【００１８】そして、前記指定エリア内の指定ユーザー滞在中情報の表示又は連絡システム（１）は、インターネット等のネットワークを介して、個別の指定ユーザーの情報端末の例示である「指定ユーザーＡの情報端末（１１）」や「指定ユーザーＢの情報端末（１２）」との間での情報通信が自在であるとの前提である。
【００１９】次に、図１と、図２の指定エリア内の指定ユーザー滞在中情報の表示又は連絡システムの位置関係図と、図３の指定エリア内の指定ユーザー滞在中情報の表示の例図とを、合わせて参照して、前記指定エリア内の指定ユーザー滞在中情報の表示又は連絡システム（１）の情報処理の手順を説明する。まず、前記指定エリア内の指定ユーザー滞在中情報の表示又は連絡システム（１）の前記記憶手段（２）内に前記指定エリアの位置情報（３）として、指定エリアに係る情報を登録する。この指定エリアに係る情報は、ＧＰＳと連動して指定エリアの位置又は指定エリアの範囲が認識可能な情報を入力する。例えば、事務所や寮や店舗の場所の住所や面積等である。及び、本システムを利用する個々の指定ユーザーの情報端末又は指定ユーザーを特定して認識できる前記指定ユーザーの情報端末情報（４）も前記記憶手段（２）内に記憶する。そして、前記指定ユーザーの情報端末情報（４）側にも、本システムに対応して、ＧＰＳからの位置情報を基にして現在の位置情報を、随時又は自動的に、登録された指定エリアに入った事を認識した場合に送信するシステムをアプリ等をダウンロードする形態で入れておくこととする。尚、このシステムのダウンロードが、個別の指定ユーザーの本システム利用の意味をもつことともなる。また、位置情報の検知に用いる情報は、ＧＰＳを利用した情報以外でも、事業者や店舗他が自らの情報機器等により発信する、前記指定ユーザーの情報端末情報（４）の位置の確認が出来る情報なら、何を利用しても良い。
【００２０】その後、図２に記載の登録済みの指定ユーザーＡの情報端末（１１）の現在位置情報を、ＧＰＳ等の情報を参考にして、随時又は前記指定ユーザーＡの情報端末（１１）が特定地域又は指定エリア内に入っていることを認識した場合には、インターネット等のネットワーク（１０）を経由して、前記指定エリア内の指定ユーザー滞在中情報の表示又は連絡システム（１）宛てに送信する。すると、前記指定エリア内の指定ユーザー滞在中情報の表示又は連絡システム（１）内の前記情報入力手段（８）が送信されてきた情報の入力を受付け、前記位置検知手段（５）で送信されてきた情報に係る現在位置を認識又は確認した上で、前記記憶部（２）内に記憶されている指定エリアに係る前記指定エリアの位置情報（３）と照合して「指定ユーザーＡが指定エリア内に到着した又は滞在しているか否かの判断」を前記到達判定手段（７）が行う。その結果、前記到達判定手段（７）が、指定ユーザーＡが指定エリアに到着した又は滞在中と判断した場合には、前記滞在中情報表示手段（７）が、図３で例示を示すような「指定エリア内の指定ユーザー滞在中情報の表示図」を作成する。図３で示すように、指定エリア内に、登録済みの個々の指定ユーザーを特定できる情報（氏名やニックネーム等の個々の指定ユーザーを特定する情報）に合わせて、その人が「居る（○）」か「居ない（×）」かが表示される。また、図３に例示するように、表示時間、指定エリアへの入退場の時間も合わせて検知、作成、及び表示されると良い。これらの表示を、本システムの閲覧許可を得た者（登録済み指定ユーザー及び閲覧のみ許可された者も）が閲覧できるようにする事によって、例えば、閲覧者は、「その場所（寮や店舗他）に特定の人が居るのならば、寮ならば帰る又はその店に行こう」といった、その場所等に行くか行かないかの選択に重要な参考情報をリアルタイムで得る事が来るようになる。及び、この情報処理の過程では、指定エリアに到着又は滞在中の指定ユーザー（居る居ないが表示される）が何も行う必要はなく、毎回の指定場所への到着、滞在又は来店時等に、その指定ユーザーに一切負荷を掛けない事も重要なメリットである。
【実施例２】
【００２１】前記指定エリア内の指定ユーザー滞在中情報の表示又は連絡システム（１）自体が、個々の指定ユーザーの情報端末にダウンロードされた形態で、実施例１に記載の情報処理を全て行っても良い。
【実施例３】
【００２２】登録済みの指定エリアに、登録済みの指定ユーザー（登録済みの情報端末を持って）が到着した（滞在中）情報又は前記滞在中情報表示手段（７）が作成した表（例、図３）を、予め登録しておいた電子メールやＳＮＳ等のアドレス宛に送信することが出来るようにしても良い。この場合には、個別の指定エリアと個別の指定ユーザーを合わせて特定して登録しておき、その特定した指定ユーザー（登録済みの情報端末を持って）が、特定した指定エリアに到着した（又は滞在した）と前記到着判定手段（６）が判断した場合には、到着情報又は前記滞在中情報表示手段（７）が作成した表（例、図３）を送信することとする。尚、特定した１つの指定エリアと合わせて特定する指定ユーザーは、２人以上を合わせての特定他、いろいろ指定ユーザーの組み合わせを特定して登録しても良い。（例えば、指定ユーザーＡが滞在中及び指定ユーザーＢが不在である場合、等）また、登録した指定した時間内（例えば、２０１５年１月１日１０時０１分〜２０１５年１月１日１１時５９分のように）に限り、前記到着した（滞在中）情報又は前記滞在中情報表示手段（７）が作成した表（例、図３）情報を送信するように設定できるようにしても良い。【００２３】これらのように設定が出来ることで、例えば、飲食店等の店舗での本システムを利用の場合は、常連客を予め本システムに登録させておけば、常連客のＢ自身による、その店舗に行くという選択の重要な要素が「今日は、常連客のＡとＣが居るなら行こう、しかも、及びＥは居ないなら」という場合にも、常連客のＢが自分の情報端末から本システムを用いてその店舗の登録済みの客の在店情報をリアルタイムで入手が出来、その自分の店舗に行くという選択の要素に基づいた来店の判断が出来るようになる。具体的には、予め自分の情報端末のアドレス宛てに、「今日の２０時から２３時の間に限り、常連客のＡとＣが居る及びＥは居ない（既に帰った場合も含め）」というタイミングが発生したい場合に、その旨の情報が送られて来るように設定できるようにすると良い。これらは、本システムを利用する又は顧客に提供する店舗側にとっては、特定客の来店が他の客をリアルタイムで呼んでくるといった来店促進効果を生むことが出来るのである。それは、ファン等が多い有名人等と店側が契約しその有名人等を登録済みの指定ユーザーとすることで、新たな来店促進手段を得ることが出来るようにもなるのである。
【産業上の利用可能性】
【００２４】本発明は、携帯電話端末、ＰＤＡ（Ｐｅｒｓｏｎａｌ  Ｄｉｇｉｔａｌ  Ａｓｓｉｓｔａｎｔ）等の携帯端末、ＰＣ（パーソナルコンピュータ）、大型コンピュータ等のシステムの各サーバ又は端末装置に利用することが可能である。
【符号の説明】
【００２５】（１）指定ユーザー滞在中情報表示又は連絡システム（１）
（２）記憶手段
（３）指定エリアの位置情報又は範囲情報
（４）指定ユーザーの情報端末情報
（５）位置検知手段、
（６）到着判定手段
（７）滞在中情報表示手段
（８）情報入力手段
（９）情報送信手段
（１０）インターネット等のネットワーク
（１１）指定ユーザーＡの情報端末
（１２）指定ユーザーＢの情報端末
【図１】
2016110595.tif 000003
【図２】
2016110595.tif 000004
【図３】
2016110595.tif 000005